(57)【要約】      （修正有）【課題】光調整器がＬＥＤランプの輝度を調整することを可能にする、ＬＥＤランプのための輝度調整回路を提供する。【解決手段】電圧振幅調整装置１０は、調整された入力電圧を出力するために、光調整器１０２の出力端子と交流電線との間に配置され、前記光調整器の前記出力端子と前記交流電線とに接続されている。ブリッジ整流器２０は、前記電圧振幅調整装置に接続され、前記調整された入力電圧を直流電圧に変換する。フィルタコンデンサ３０は前記ブリッジ整流器に接続されている。限流抵抗器４０は、ＬＥＤランプ１を経て流れる電流を制限するために、前記ブリッジ整流器と前記ＬＥＤランプとの間に配置され、前記ブリッジ整流器と前記ＬＥＤランプとに接続されている。前記光調整器が調整されたとき、前記調整された入力電圧が変更される。これにより、前記ブリッジ整流器により加えられる前記直流電圧が、前記ＬＥＤランプの輝度を調整するように変更される。【選択図】図１
0003161360.tif 000002
【実用新案登録請求の範囲】
【請求項１】
ＬＥＤランプのための輝度調整回路であって、
調整された入力電圧を出力するために光調整器の出力端子と交流電線とに接続された電圧振幅調整装置と、
前記調整された入力電圧を直流電圧に変換するためにそれぞれ前記光調整器の前記出力端子及び前記交流電線に接続された第１入力端子及び第２入力端子と、正出力端子と、負出力端子とを有するブリッジ整流器と、
前記ブリッジ整流器の前記正出力端子と前記負出力端子との間に配置され、前記正出力端子と前記負出力端子とに接続されたフィルタコンデンサと、
前記ブリッジ整流器の前記正出力端子と前記ＬＥＤランプとに接続された限流抵抗器とを含む、輝度調整回路。
【請求項２】
前記電圧振幅調整装置は、並列に接続された複数の抵抗器を有する、請求項１に記載の輝度調整回路。
【請求項３】
前記電圧振幅調整装置の前記抵抗器は同じ抵抗値を有する、請求項２に記載の輝度調整回路。
【請求項４】
前記ＬＥＤランプは、直列に接続された複数のＬＥＤを有する、請求項２に記載の輝度調整回路。
【請求項５】
前記電圧振幅調整装置は、並列に接続された５つの抵抗器を有する、請求項３に記載の輝度調整回路。
【請求項６】
ヒューズが前記光調整器の前記出力端子と前記ブリッジ整流器の前記第１入力端子との間に配置され、前記出力端子と前記第１入力端子とに接続されている、請求項４に記載の輝度調整回路。
【考案の詳細な説明】
【技術分野】
【０００１】
本考案は、光調整器が発光ダイオード（ＬＥＤ）ランプの輝度を調整することを可能にする、ＬＥＤランプのための輝度調整回路に関する。
【背景技術】
【０００２】
快適な雰囲気を提供するために輝度調整可能なランプが使われている。図２に示すように、従来の輝度調整可能なランプは、直列に接続された白熱電球１０１及び光調整器１０２を有する。光調整器１０２は、ＤＩＡＣ（交流電流用ダイオード）及びＴＲＩＡＣ（交流電流用三極管）のようなシリコン制御素子からなる。前記シリコン制御素子に加えられるトリガ電圧を変更することにより、前記シリコン制御素子の導通角が、白熱電球１０１に加えられる交流電圧を制御し、白熱電球１０１の輝度を所望のレベルに合わせるように調整される。
【０００３】
エネルギーの節約及び消費電力の低減のためにますます多くのＬＥＤランプが照明器具として使用され、従来の白熱ランプに取って代わる。前記ＬＥＤランプは低い直流電圧により駆動される。光調整器１０２は、前記直流電圧を直接調節することができず、前記ＬＥＤランプの輝度を調整することができない。このため、使用者は、既存の光調整器に代わる特定の調整器を使用し、関連する既存の制御回路の全てを放棄しなければならない。
【考案の概要】
【考案が解決しようとする課題】
【０００４】
本考案は、上記の問題点を改善する、ＬＥＤランプのための輝度調整回路を提供する。
【０００５】
本考案の目的は、光調整器がＬＥＤランプの輝度を調整することを可能にする、ＬＥＤランプのための輝度調整回路を提供することである。
【課題を解決するための手段】
【０００６】
本考案に係る、ＬＥＤランプのための輝度調整回路は、電圧振幅調整装置と、ブリッジ整流器と、フィルタコンデンサと、限流抵抗器とを有する。前記電圧振幅調整装置は、調整された入力電圧を出力するために、光調整器の出力端子と交流電線との間に配置され、前記出力端子と前記交流電線とに接続されている。前記ブリッジ整流器は、前記電圧振幅調整装置に接続され、前記調整された入力電圧を直流電圧に変換する。前記フィルタコンデンサは前記ブリッジ整流器に接続されている。前記限流抵抗器は、前記ＬＥＤランプを経て流れる電流を制限するために、前記ブリッジ整流器と前記ＬＥＤランプとの間に配置され、前記ブリッジ整流器と前記ＬＥＤランプとに接続されている。前記光調整器が調整されたとき、前記電圧振幅調整装置に加えられる前記調整された入力電圧が変更される。これにより、前記ブリッジ整流器により加えられる前記直流電圧が、前記ＬＥＤランプの輝度を調整するように変更される。
【０００７】
本考案の他の目的、利点及び新規な特徴は、添付の図面に関する以下の詳細な説明からより明らかになる。
【図面の簡単な説明】
【０００８】
【図１】本考案に係る、ＬＥＤランプのための輝度調整回路の回路図。
【図２】従来の光調整可能なランプのブロック回路図。
【考案を実施するための形態】
【０００９】
図１に示すように、ＬＥＤランプ１のための輝度調整回路は、光調整器１０２とともに使用され、電圧振幅調整装置１０と、ブリッジ整流器２０と、フィルタコンデンサ３０と、限流抵抗器４０と、ヒューズ５０とを有する。
【００１０】
光調整器１０２は、第１交流電線Ｌに接続され、出力端子を有する。光調整器１０２は、ＤＩＡＣ（交流電流用ダイオード）及びＴＲＩＡＣ（交流電流用三極管）のようなシリコン制御素子を有する。ＬＥＤランプ１は、正端子と、負端子とを有し、直列に接続された複数のＬＥＤを有する。
【００１１】
電圧振幅調整装置１０は、光調整器１０２の出力端子と第２交流電線Ｎとの間に配置され、光調整器１０２の前記出力端子と第２交流電線Ｎとに接続されている。電圧振幅調整装置１０は、並列に接続された複数の抵抗器Ｒ１、Ｒ２、Ｒ３、Ｒ４、Ｒ５を有する。好ましくは、抵抗器Ｒ１、Ｒ２、Ｒ３、Ｒ４、Ｒ５の全てが同じ抵抗値を有する。電圧振幅調整装置１０に、調整された入力電圧Ｖｉｎが加えられる。
【００１２】
ブリッジ整流器２０は、第１入力端子と、第２入力端子と、正出力端子と、負出力端子とを有する。前記第１入力端子及び前記第２入力端子は、調整された入力電圧Ｖｉｎを受けるために、それぞれ光調整器１０２の前記出力端子及び第２交流電線Ｎに接続されている。ブリッジ整流器２０は、調整された入力電圧Ｖｉｎを、前記正出力端子及び前記負出力端子から出力される直流電圧Ｖｏｕｔに変換する。
【００１３】
フィルタコンデンサ３０は、ブリッジ整流器２０の前記正出力端子と前記負出力端子との間に配置され、前記正出力端子と前記負出力端子とに接続されている。
【００１４】
限流抵抗器４０は、ＬＥＤランプ１を経て流れる電流を制限するために、ブリッジ整流器２０の前記正出力端子とＬＥＤランプ１の前記正端子との間に配置され、ブリッジ整流器２０の前記正出力端子とＬＥＤランプ１の前記正端子とに接続されている。
【００１５】
ヒューズ５０は、過電流保護を与えるために、光調整器１０２の前記出力端子とブリッジ整流器２０の前記正出力端子との間に配置され、光調整器１０２の前記出力端子とブリッジ整流器２０の前記正出力端子とに接続されている。
【００１６】
光調整器１０２が調整されたとき、抵抗器Ｒ１、Ｒ２、Ｒ３、Ｒ４、Ｒ５に加えられる、調整された入力電圧Ｖｉｎが変更される。これにより、ブリッジ整流器２０により加えられる直流電圧Ｖｏｕｔは、ＬＥＤランプ１を経て流れる電流が直流電圧Ｖｏｕｔに比例するため、ＬＥＤランプ１の輝度を調整するように変更される。
【００１７】
前記輝度調整回路を、既存の光調整器１０２がＬＥＤランプ１の輝度を調整することができるように光調整器１０２と組み合わせることができる。
【符号の説明】
【００１８】
１    ＬＥＤランプ
１０    電圧振幅調整装置
２０    ブリッジ整流器
３０    フィルタコンデンサ
４０    限流抵抗器
５０    ヒューズ
１０２    光調整器
【図１】
0003161360.tif 000003
【図２】
0003161360.tif 000004